【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
医療／外科用廃棄物収集システムのためのマニホールドであって、
マニホールド空間を画定する少なくとも１つの側壁と遠位端を画定する遠位部分とを備えるハウジングであって、前記遠位部分の前記遠位端から近位側に延在する長軸を備える、ハウジングと、
前記ハウジングの近位部分内に位置し、前記マニホールド空間と流体連通する出口開口と、
前記ハウジング内に位置するフィルタ要素であって、基部と、前記出口開口に対して前記基部の反対側に位置する口部と、前記基部と前記口部との間に延在するバスケットと、前記バスケット内の多孔性特徴部と、を備え、前記バスケットの底が前記長軸から第１の距離にある軸上に画定されている、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に至る流体連通経路が確立され、前記多孔性特徴部は，前記流体が前記流体連通経路を通って吸い込まれた時に前記流体内に混入された材料を捕捉するように、構成されている、少なくとも１つの接続具と、
前記ハウジング内に材料収集空間を少なくとも部分的に画定するために、前記少なくとも１つの側壁から下方に延在する突出部であって、前記材料収集空間は、前記接続具の前記孔と前記フィルタ要素の前記口部との間に軸方向に少なくとも部分的に位置し、前記長軸に対して前記フィルタ要素の前記バスケットの反対側に更に位置し、前記流体及び前記材料が前記流体連通経路を通って吸い込まれた時、前記材料が前記材料収集空間内に収集される、突出部と、
を備える、マニホールド。
【請求項２】
前記突出部は、前記少なくとも１つの側壁から下方に延在する第１の表面と、前記第１の表面から前記ハウジングの前記遠位端に遠位側に延在する第２の表面とを更に備え、前記第１及び第２の表面は、前記材料収集空間の少なくとも一部を画定している、請求項１に記載のマニホールド。
【請求項３】
前記突出部から構成される組織トラップを更に備え、前記組織トラップ及び前記ハウジングは、前記材料収集空間内に収集された前記材料の回収を可能にするために、前記組織トラップを前記ハウジングに取外し可能に連結する相補的連結機構を備える、先行する請求項のいずれかに記載のマニホールド。
【請求項４】
前記ハウジングに連結され、前記ハウジングの外面から半径方向外方に延在するブリスタを更に備え、前記ブリスタは、前記マニホールドが前記医療／外科用廃棄物収集システムに動作可能に連結されるのに応じて圧縮され、前記医療／外科用廃棄物収集システムに対する前記マニホールドの回転を防ぐように、構成されている、先行する請求項のいずれかに記載のマニホールド。
【請求項５】
前記バスケットは、円筒状であり、前記円筒状バスケットから延在する環状ヘッドを更に備え、前記環状ヘッドは、前記多孔性特徴部を備える、先行する請求項のいずれかに記載のマニホールド。
【請求項６】
前記環状ヘッドは、円錐台の形状にある、請求項５に記載のマニホールド。
【請求項７】
医療／外科用廃棄物収集システムのためのマニホールドであって、
マニホールド空間を画定する少なくとも１つの側壁を備えるハウジングと、
前記マニホールド空間と流体連通する出口開口と、
前記ハウジング内に位置するフィルタ要素であって、基部と、前記出口開口に対して前記基部の反対側に位置する口部と、前記基部と前記口部との間に延在するバスケットと、前記バスケット内の多孔性特徴部と、を備える、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に到る流体連通経路が確立され、前記フィルタ要素の前記多孔性特徴部は、前記流体が前記流体連通経路を通って吸い込まれた時に前記流体に混入された材料を捕捉するように、構成されている、少なくとも１つの接続具と、
前記ハウジングの遠位部分に取外し可能に連結された組織トラップであって、前記組織トラップは、前記少なくとも１つの接続具の前記孔の近位端と前記フィルタ要素の前記口部との間に軸方向に少なくとも部分的に位置し、前記組織トラップは、前記フィルタ要素の下方に材料収集空間を画定し、前記流体及び前記材料が前記流体連通経路を通って吸い込まれた時、前記材料が前記組織トラップ内に収集される、組織トラップと、
を備える、マニホールド。
【請求項８】
前記組織トラップ及び前記ハウジングは、前記組織トラップ内に収集された前記材料の回収を可能にするために、前記組織トラップを前記ハウジングの外部に取外し可能に連結する相補的連結特徴部を更に備える、請求項７に記載のマニホールド。
【請求項９】
前記組織トラップは、実質的に円錐状又はピラミッド状である、請求項７又は８に記載のマニホールド。
【請求項１０】
前記組織トラップは、少なくとも部分的に透明であり、前記組織トラップ内に収集された前記材料の体積を特定するための目盛を更に備える、請求項７から９のいずれかに記載のマニホールド。
【請求項１１】
医療／外科用廃棄物収集システムのためのマニホールドであって、
マニホールド空洞を連携して画定する少なくとも１つの側壁と面プレートとを備えるハウジングであって、前記マニホールドの長軸が前記面プレートから近位側に延在している、ハウジングと、
前記ハウジングの近位部分内に位置し、前記マニホールド空洞と流体連通する出口開口と、
前記ハウジング内に位置するフィルタ要素であって、前記フィルタ要素は、基部と、前記出口開口に対して前記基部の反対側に位置し、前記面プレートから離間した口部と、前記基部と前記口部との間に延在するバスケットと、前記バスケット内の多孔性特徴部とを備え、前記バスケットの底が前記長軸から第１の距離にある軸上に画定されている、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に至る流体連通経路が確立され、前記多孔性特徴部は，前記流体が前記流体連通経路を通って吸い込まれた時に前記流体内に混入された材料を捕捉するように、構成されている、少なくとも１つの接続具と、
前記ハウジング内に材料収集空間を少なくとも部分的に画定するために、前記少なくとも１つの側壁から延在する突出部であって、前記突出部は、移行部と、前記移行部に連結され、前記長軸から第２の距離に位置する表面とを備え、前記第２の距離は、前記第１の距離よりも長く、前記流体及び材料が前記流体連通経路を通って吸い込まれた時、前記材料は、前記フィルタ要素の前記口部に達する前に、前記材料収集空間内に収集される、突出部と、
を備える、マニホールド。
【請求項１２】
前記材料収集空間の深さは、前記第１の距離と前記第２の距離との差として規定されている、請求項１１に記載のマニホールド。
【請求項１３】
前記材料収集空間の長さは、前記面プレートと前記フィルタ要素の前記口部との間に規定されている、請求項１１又は１２に記載のマニホールド。
【請求項１４】
前記突出部の前記表面は、第１の面であり、前記移行部は、前記第１の面から遠位側に延在する第２の面から構成され、前記第１の面及び前記第２の面は、前記材料収集空間の少なくとも一部を画定している、請求項１１から１３のいずれかに記載のマニホールド。
【請求項１５】
前記突出部は、組織トラップに取外し可能に連結されるようになっており、前記ハウジングの前記少なくとも１つの側壁は、前記組織トラップに取外し可能に連結する相補的連結特徴部を備え、前記ハウジングの前記少なくとも１つの側壁内の前記突出部によって、前記ハウジングを完全に分解することなく、前記材料収集空間内に収集された材料の回収が可能になる、請求項１１から１４のいずれかに記載のマニホールド。
【請求項１６】
前記フィルタ要素は、前記バスケットに連結されたスノーケルを更に備え、前記スノーケルは、前記接続具の前記孔と前記フィルタ要素の前記口部との間に軸方向に少なくとも部分的に位置し、前記長軸に対して前記材料収集空間の反対側に更に位置し、前記バスケット及び前記スノーケルは、各々、多孔性特徴部を備える、先行する請求項のいずれかに記載のマニホールド。
【請求項１７】
前記スノーケルは、管状壁及び前記管状壁の端に連結された遠位面を備える、請求項１６に記載のマニホールド。
【請求項１８】
前記スノーケルの前記多孔性特徴部は、前記遠位面及び前記管状壁を貫通している、請求項１７に記載のマニホールド。
【請求項１９】
前記バスケットは、バスケット空洞を画定し、前記スノーケルは、スノーケル空洞を画定し、前記空洞は、それぞれ、前記出口開口と流体連通し、互いに分離されており、前記孔から前記スノーケル空洞を通って前記出口開口に至る第２の流体連通経路が確立されている、請求項１６から１８のいずれかに記載のマニホールド。
【請求項２０】
前記マニホールドは、前記ハウジング内に分流器を更に備え、前記分流器は、前記接続具の前記孔と前記流体連通経路内に配置される前記フィルタ要素の前記口部との間に軸方向に位置し、前記分流器は、前記流体連通経路を通って吸い込まれた前記流体及び前記材料の少なくとも一部を前記材料収集空間に向かって導くように構成されている、先行する請求項のいずれかに記載のマニホールド。
【請求項２１】
前記分流器は、前記ハウジングに連結されたバッフルである、請求項２０に記載のマニホールド。
【請求項２２】
前記分流器の遠位面に連結された保持部材を更に備え、前記保持部材は、前記流体連通経路内の破片を保持するように構成されている、請求項２１に記載のマニホールド。
【請求項２３】
前記突出部は、移行部と、前記移行部に連結され、前記長軸から第２の距離に位置する表面とを備え、前記第２の距離は、前記第１の距離よりも大きく、前記流体及び材料が前記流体連通経路を通って吸い込まれた時、前記材料が前記フィルタ要素に達する前に前記材料収集空間内に収集されるようになっている、請求項１から６のいずれかに記載のマニホールド。